(57)【特許請求の範囲】
【請求項１】
画像処理装置において、
原稿情報が印刷される原稿領域よりも外側の印刷後に裁断されてしまう裁断予定領域を、受信したＰＤＬデータ内に含まれる原稿領域の情報および印刷に使用される記録媒体の領域の情報から認識する認識手段と、
前記原稿情報とともに印刷すべき付加情報の印刷指示が存在する場合、認識された裁断予定領域に当該付加情報を印刷する制御を行う制御手段と、
を有することを特徴とする画像処理装置。
【請求項２】
前記付加情報は、日付、ページ番号、部毎のシリアル番号、およびフォントサイズの少なくとも一つを含むことを特徴とする請求項１に記載の画像処理装置。
【請求項３】
画像処理方法において、
１）原稿情報が印刷される原稿領域よりも外側の印刷後に裁断されてしまう裁断予定領域を、受信したＰＤＬデータ内に含まれる原稿領域の情報および印刷に使用される記録媒体の領域の情報から認識するステップと、
２）前記原稿情報とともに印刷すべき付加情報の印刷指示が存在する場合、認識された裁断予定領域に当該付加情報を印刷する制御を行うステップと、
を有することを特徴とする画像処理方法。
【請求項４】
１）原稿情報が印刷される原稿領域よりも外側の印刷後に裁断されてしまう裁断予定領域を、受信したＰＤＬデータ内に含まれる原稿領域の情報および印刷に使用される記録媒体の領域の情報から認識する手順と、
２）前記原稿情報とともに印刷すべき付加情報の印刷指示が存在する場合、認識された裁断予定領域に当該付加情報を印刷する制御を行う手順と、
をコンピュータに実行させるための画像処理プログラム。
【請求項５】
請求項４に記載の画像処理プログラムを記録したコンピュータ読み取り可能な記録媒体。
【発明の詳細な説明】
【技術分野】
【０００１】
本発明は、日付やページ番号等の付加情報を印刷する場合の画像処理装置、画像処理方法および画像処理プログラムに関する。
【背景技術】
【０００２】
印刷装置等の画像処理装置において、印刷すべき原稿の情報は、原稿通りに印刷出力されることが望ましい。したがって、原稿情報が印刷される原稿領域に対しては、印刷時に余計な情報が追加されたり編集が加えられたりされるべきではない。
【０００３】
ところが、日付やページ番号等の付加情報を印刷するように設定すると、原稿領域が印刷に使用される用紙等の記録媒体の領域と近い場合には、付加情報の印刷ができないか、あるいは原稿領域内に付加情報が印刷されてしまうといった問題がある。
【０００４】
そこで、付加情報を印刷する場合には、原稿領域の縮小処理を行って原稿領域の周囲に余白部を設け、当該余白に付加情報を印刷しようとする技術がある（特許文献１参照）。
【０００５】
しかしながら、特許文献１に記載の技術では、原稿領域の縮小が行われると、原稿通りの印刷出力結果が得られないため、ユーザにとって必ずしも満足できるものではない。
【特許文献１】特開平５−１８１９４３号公報
【発明の開示】
【発明が解決しようとする課題】
【０００６】
本発明は上記従来技術の有する問題点に鑑みてなされたものであり、本発明の目的は、原稿領域外に付加情報を印刷し、原稿の情報を原稿通りに印刷することが可能な画像処理装置、画像処理方法および画像処理プログラムを提供することにある。
【課題を解決するための手段】
【０００７】
本発明の上記目的は、下記の手段によって達成される。
【０００８】
（１）画像処理装置において、原稿情報が印刷される原稿領域よりも外側の印刷後に裁断されてしまう裁断予定領域を、受信したＰＤＬデータ内に含まれる原稿領域の情報および印刷に使用される記録媒体の領域の情報から認識する認識手段と、前記原稿情報とともに印刷すべき付加情報の印刷指示が存在する場合、認識された裁断予定領域に当該付加情報を印刷する制御を行う制御手段と、を有することを特徴とする画像処理装置。
【００１０】
（２）前記付加情報は、日付、ページ番号、部毎のシリアル番号、およびフォントサイズの少なくとも一つを含むことを特徴とする上記（１）に記載の画像処理装置。
【００１１】
（３）画像処理方法において、１）原稿情報が印刷される原稿領域よりも外側の印刷後に裁断されてしまう裁断予定領域を、受信したＰＤＬデータ内に含まれる原稿領域の情報および印刷に使用される記録媒体の領域の情報から認識するステップと、２）前記原稿情報とともに印刷すべき付加情報の印刷指示が存在する場合、認識された裁断予定領域に当該付加情報を印刷する制御を行うステップと、を有することを特徴とする画像処理方法。
【００１２】
（４）１）原稿情報が印刷される原稿領域よりも外側の印刷後に裁断されてしまう裁断予定領域を、受信したＰＤＬデータ内に含まれる原稿領域の情報および印刷に使用される記録媒体の領域の情報から認識する手順と、２）前記原稿情報とともに印刷すべき付加情報の印刷指示が存在する場合、認識された裁断予定領域に当該付加情報を印刷する制御を行う手順と、をコンピュータに実行させるための画像処理プログラム。
【００１３】
（５）上記（４）に記載の画像処理プログラムを記録したコンピュータ読み取り可能な記録媒体。
【発明の効果】
【００１４】
本発明によれば、付加情報が必ず原稿領域外に印刷され、原稿領域内に印刷されてしまうことがない。このため、原稿のサイズに左右されることなく、原稿の情報が原稿通りに印刷出力される。
【００１５】
また、原稿領域の周囲に日付やページ番号等の付加情報が印刷されることから、この付加情報を用いて、記録媒体の裁断前における印刷出力物の効率的な取り扱いや管理を行うことが可能となる。
【発明を実施するための最良の形態】
【００１６】
以下、図面を参照して、本発明に係る実施形態を説明する。
【００１７】
図１は、本発明の第１実施形態にかかるネットワークシステムの全体構成を示すブロック図である。
【００１８】
本実施形態にかかるネットワークシステムは、文書の印刷の指示を行う印刷指示装置としてのＰＣ１と、ＰＣ１から受信した印刷指示に基づいて印刷を行う印刷システム４とを備え、これらはネットワーク５により相互に通信可能に接続されている。なお、ＰＣ１と印刷システム４とは、ネットワーク５を介することなく直接機器間で接続（ローカル接続）されていてもよい。
【００１９】
印刷システム４は、互いにローカル接続されたプリントコントローラ２とプリントエンジン３とから成る。このローカル接続には、ＵＳＢ、ＩＥＥＥ１３９４等のシリアルインタフェース、ＳＣＳＩ、ＩＥＥＥ１２８４等のパラレルインタフェース、Ｂｌｕｅｔｏｏｔｈ（ブルートゥース）、ＩＥＥＥ８０２.１１、ＨｏｍｅＲＦ、ＩｒＤＡ等の無線通信インタフェース等の各種ローカル接続インタフェースが用いられ得る。
【００２０】
図２は、図１に示されるＰＣ１の構成を示すブロック図である。ＰＣ１は、ＣＰＵ１１、ＲＯＭ１２、ＲＡＭ１３、ハードディスク１４、ディスプレイ１５、入力装置１６およびネットワークインタフェース１７を備えており、これらは信号をやり取りするためのバス１８を介して相互に接続されている。
【００２１】
ＣＰＵ１１は、プログラムにしたがって、上記各部の制御や各種の演算処理を行う。ＲＯＭ１２は、各種プログラムや各種データを格納する。ＲＡＭ１３は、作業領域として一時的にプログラムやデータを記憶する。ハードディスク１４は、オペレーティングシステムを含む各種プログラムや各種データを格納する。
【００２２】
ここで、ハードディスク１４には、ＰＤＦ（Ｐｏｒｔａｂｌｅ  Ｄｏｃｕｍｅｎｔ  Ｆｏｒｍａｔ）ファイル等の文書ファイルを作成するためのアプリケーションがインストールされている。ここで、ＰＤＦファイルは、ページ記述言語（ＰＤＬ：Ｐａｇｅ  Ｄｅｓｃｒｉｐｔｉｏｎ  Ｌａｎｇｕａｇｅ）で記述されたプリントデータ（ＰＤＬデータ）の一種として使用されている。
【００２３】
ディスプレイ１５は、ＬＣＤ、ＣＲＴディスプレイ等であり各種の情報の表示に使用される。入力装置１６は、マウス等のポインティングデバイスやキーボードを含み、各種情報の入力に使用される。
【００２４】
ネットワークインタフェース１７は、ネットワーク５を介して他の機器と通信するためのインタフェースであり、イーサネット（登録商標）、トークンリング、ＦＤＤＩ等の規格が用いられる。
【００２５】
図３は、図１に示される印刷システム４におけるプリントコントローラ２の構成を示すブロック図である。プリントコントローラ２は、ＣＰＵ２１、ＲＯＭ２２、ＲＡＭ２３、ハードディスク２４、入力装置２５、エンジンインタフェース２６、およびネットワークインタフェース２７を備えており、これらは信号をやり取りするためのバス２８を介して相互に接続されている。なお、プリントコントローラ２の上記各部のうち、ＰＣ１の上記各部と同様の機能を有する部分については、説明の重複を避けるためその説明を省略する。
【００２６】
ここで、ＲＯＭ２２またはハードディスク２４には、ＰＣ１から受信したＰＤＬデータをビットマップ形式の画像データであるラスタライズ画像に展開するラスタライズ処理や、受信したＰＤＬデータの解析などの処理プログラムが格納されている。
【００２７】
エンジンインタフェース２６は、ローカル接続されたプリントエンジン３と通信するためのインタフェースである。
【００２８】
図４は、図１に示される印刷システム４のプリントエンジン３の構成を示すブロック図である。プリントエンジン３は、ＣＰＵ３１、ＲＯＭ３２、ＲＡＭ３３、ハードディスク３４、操作パネル部３５、印刷部３６、およびコントローラインタフェース３７を備えており、これらは信号をやり取りするためのバス３８を介して相互に接続されている。
【００２９】
上記ＲＯＭ３２には、ラスタライズ画像を用紙に印刷する印刷処理などの処理プログラムが格納されている。
【００３０】
操作パネル部３５は、タッチパネル、テンキー、スタートボタン、ストップボタン等を備えており、各種情報の表示および各種指示の入力に使用される。
【００３１】
印刷部３６は、電子写真式プロセス等の周知の作像プロセスを用いて、各種データを用紙などの記録材上に印刷する。コントローラインタフェース３７は、ローカル接続されたプリントコントローラ２と通信するためのインタフェースである。
【００３２】
なお、ＰＣ１、および印刷システム４は、上記した構成要素以外の構成要素を含んでいてもよく、あるいは、上記した構成要素のうちの一部が含まれていなくてもよい。例えば、印刷システム４に、原稿を読み取るための画像読取部、あるいはＧＵＩ（Ｇｒａｐｈｉｃａｌ  Ｕｓｅｒ  Ｉｎｔｅｒｆａｃｅ）が備えられていてもよい。
【００３３】
図５は、本実施形態で取り扱われる印刷ページの一例を概略的に示す図である。
【００３４】
図５に示すように、印刷ページには、裁断する位置を示すトンボ４１よりも内側の原稿領域４０を画するための、トリムボックス（Ｔｒｉｍ  Ｂｏｘ）４２と称する裁断予定枠が設定されている。また、印刷ページには、用紙などの記録媒体の領域を画するための、メディアボックス（Ｍｅｄｉａ  Ｂｏｘ）４３と称する記録媒体枠が設定されている。本実施形態では、このトリムボックス４２とメディアボックス４３の間の領域である裁断予定領域４４に、日付やページ番号等の付加情報４５が印刷される。なお、原稿領域枠は通常トンボ４１により位置が特定されるため、上記の裁断予定領域４４はトンボ４１よりも外側の領域を意味する。
【００３５】
裁断予定領域４４に印刷される付加情報４５を、下記（ａ）〜（ｄ）に例示列挙する。印刷業者は裁断前の印刷出力物を取り扱うことが多く、原稿領域４０よりも外側の領域に以下の情報があることは、印刷出力物の効率的な取り扱いや管理に有用である。
（ａ）日付、正確には印刷出力日時および時刻。この情報により、いつ出力された印刷ジョブかの特定ができ、印刷に問題が発生した場合、問題発生時点の特定が可能となる。
（ｂ）ページ番号。この情報は、例えば面付け処理されたデータのページ漏れチェックに使用され得る。
（ｃ）複数部数印刷される場合の部毎のシリアル番号。この情報により、機密書類などの管理が可能となる。
（ｄ）上記付加情報それぞれのフォントサイズ。
【００３６】
上記は印刷する付加情報４５の一例であり、取り扱う付加情報４５の種類はこれらに限るものではない。また、これらのうちのどの項目を付加情報４５として印刷するかは、ユーザにより任意に選択され得る。
【００３７】
本実施形態では、プリントエンジン３において、上述した日付、ページ番号、部毎のシリアル番号、フォントサイズ等の付加情報（管理情報）４５の印刷指示に関する情報が予め設定される。この場合、プリントエンジン３のハードディスク３４に、複数項目の付加情報とともに、複数項目のうちの印刷すべき付加情報の項目のユーザによる指定が保存される。ただし、付加情報４５の印刷指示に関する情報は、プリントコントローラ２において設定されることもできる。さらには、ＰＣ１において、付加情報４５の印刷指示に関する情報が設定されて、印刷ジョブに含められることもできる。
【００３８】
次に、本実施形態における印刷システムの動作について説明する。
【００３９】
ＰＣ１のプリンタドライバは、アプリケーションを使用して作成したＰＤＦファイルを印刷ジョブとして送信する。その際、プリンタドライバは、印刷ジョブに対して、「Ｔｒｉｍ  Ｂｏｘ」のキーワードを用いて、裁断位置を示すトンボ４１よりも内側の原稿領域４０を画するトリムボックス４２（裁断予定枠）のサイズ指定を行い、また、「Ｍｅｄｉａ  Ｂｏｘ」のキーワードを用いて、記録媒体の領域を画するメディアボックス４３（記録媒体枠）のサイズ指定を行う。
【００４０】
図６は、第１実施形態の印刷システム４のプリントコントローラ２における処理の手順を示すフローチャートである。なお、図６のフローチャートにより示されるアルゴリズムは、例えばＲＯＭ２２などの記憶部にプログラムとして記憶されており、ＣＰＵ２１によって実行される。
【００４１】
図６に示すように、プリントコントローラ２は、印刷ジョブを受信すると、ＲＡＭ２３に一時保存し、受信したＰＤＦファイルの解析を行う、すなわちＰＤＦファイルの先頭から記号解析を開始する（ステップＳ１０１）。
【００４２】
そして、記号解析にて「Ｔｒｉｍ  Ｂｏｘ」と「Ｍｅｄｉａ  Ｂｏｘ」が検出されたか否かがチェックされる（ステップＳ１０２）。これは、「Ｔｒｉｍ  Ｂｏｘ」と「Ｍｅｄｉａ  Ｂｏｘ」をキーワードとして、裁断予定領域４４（付加惰報印刷領域）を認識して抽出する操作に該当する。
【００４３】
記号解析にて「Ｔｒｉｍ  Ｂｏｘ」と「Ｍｅｄｉａ  Ｂｏｘ」が検出されると（ステップＳ１０２でＹＥＳ）、印刷ジョブに対して付加情報印刷指示が設定されているかが判断される（ステップＳ１０３）。ただし、付加情報印刷指示は、プリントコントローラ２のプリントキューにおいてＯＮ／ＯＦＦで設定されてもよい。
【００４４】
付加情報印刷指示が設定されている場合（Ｓ１０３でＹＥＳ）、「Ｔｒｉｍ  Ｂｏｘ」と「Ｍｅｄｉａ  Ｂｏｘ」に設定されたサイズ値と、付加情報印刷指示とが、プリントエンジン３に送信される（ステップＳ１０４）。
【００４５】
一方、ステップＳ１０２において「Ｔｒｉｍ  Ｂｏｘ」および「Ｍｅｄｉａ  Ｂｏｘ」が検出されなかった場合（ステップＳ１０２でＮＯ）、ステップＳ１０３において付加情報印刷指示が設定されていないと判断された場合には（ステップＳ１０３でＮＯ）、ステップＳ１０５に進む。
【００４６】
ステップＳ１０５では、印刷ジョブのラスタライズが行われ、プリントエンジン３にラスタライズ画像が送信される。
【００４７】
図７は、第１実施形態の印刷システム４のプリントエンジン３における処理の手順を示すフローチャートである。なお、図７のフローチャートにより示されるアルゴリズムは、例えばＲＯＭ３２などの記憶部にプログラムとして記憶されており、ＣＰＵ３１によって実行される。
【００４８】
図７に示すように、プリントエンジン３は、プリントコントローラ２からスタライズ画像を受信すると（ステップＳ２０１）、「Ｔｒｉｍ  Ｂｏｘ」および「Ｍｅｄｉａ  Ｂｏｘ」の情報を受信したか否かを判断する（ステップＳ２０２）。
【００４９】
プリントエンジン３は、「Ｔｒｉｍ  Ｂｏｘ」および「Ｍｅｄｉａ  Ｂｏｘ」の情報を受信している場合（Ｓ２０２でＹＥＳ）、これにより裁断予定領域４４を認識すると共に、あらかじめプリントエンジン３で設定されている付加情報４５の印刷指示に関する情報に応じて、裁断予定領域４４に付加情報４５を追加する（ステップＳ２０３）。なお、プリントエンジン３は、「Ｔｒｉｍ  Ｂｏｘ」および「Ｍｅｄｉａ  Ｂｏｘ」の情報を受信した場合には、付加情報印刷指示をもあわせて受信していることになる（ステップＳ１０４参照）。
【００５０】
ここで、受信したラスタライズ画像における、トリムボックス４２とメディアボックス４３に囲まれた裁断予定領域４４に、付加情報４５が画像データとして追加（貼り付け）される。これにより、トリムボックス４２とメディアボックス４３に基づいた付加情報４５の印刷位置の調整処理が行われる。
【００５１】
そしてステップＳ２０４では、ラスタライズ画像の印刷が実行される。
【００５２】
一方、「Ｔｒｉｍ  Ｂｏｘ」および「Ｍｅｄｉａ  Ｂｏｘ」の情報を受信していない場合（Ｓ２０２でＮＯ）、トリムボックス４２とメディアボックス４３に基づいた付加情報４５の印刷位置の調整処理は行わず、プリントエンジン３に設定された付加情報４５の印刷指示に関する情報に従い、通常の付加情報４５の印刷処理を行う（付加情報４５の裁断予定領域４４への位置調整は行われない）（ステップＳ２０５）。なお、付加情報の印刷指示が無い場合は、付加情報の印刷処理は行われない。
【００５３】
上記の印刷出力物は、その印刷後に、トンボ４１の位置により特定されるトリムボックス４２（裁断予定枠）に沿って裁断され、原稿領域４０のみが残される。この裁断を行う前において、印刷出力物には、原稿領域４０の周囲に日付やページ番号などの付加情報４５が印刷されていることから、この付加情報４５を用いて、裁断前における印刷出力物を容易に管理することができる。またトンボ位置４１に従い断裁した後は、正式な出力物として扱うことができる。
【００５４】
このように本実施形態によれば、付加情報が必ず原稿領域外に印刷され、原稿領域内に印刷されてしまうことがない。このため、原稿のサイズに左右されることなく、原稿の情報が原稿通りに印刷出力される。また、原稿領域の周囲に日付やページ番号等の付加情報が印刷されることから、この付加情報を用いて、記録媒体の裁断前における印刷出力物の効率的な取り扱いや管理を行うことが可能となる。
【００５５】
さらに、付加情報を原稿領域外に印刷するため、裁断後の出力物を最終成果物として利用することが可能である。また、原稿サイズが変更された場合にも、必ず原稿領域外に付加情報を印刷することができる。
【００５６】
次に、本発明の第２実施形態について説明する。以下、第１実施形態と共通する点の説明を適宜省略し、相違する点を中心に説明する。
【００５７】
第２実施形態では、プリントコントローラ２で設定された付加情報４５が使用される。したがって、プリントコントローラ２において、日付、ページ番号、部毎のシリアル番号、フォントサイズ等の付加情報４５の印刷指示に関する情報が予め設定される。この場合、プリントコントローラ２のハードディスク２４に、複数項目の付加情報とともに、複数項目のうちの印刷すべき付加情報の項目のユーザによる指定が保存される。
【００５８】
図８は、第２実施形態の印刷システム４のプリントコントローラ２における処理の手順を示すフローチャートである。なお、図８のフローチャートにより示されるアルゴリズムは、例えばＲＯＭ２２などの記憶部にプログラムとして記憶されており、ＣＰＵ２１によって実行される。
【００５９】
図８に示すように、プリントコントローラ２は、印刷ジョブを受信すると、ＲＡＭ２３に一時保存し、受信したＰＤＦファイルの解析を行う、すなわちＰＤＦファイルの先頭から記号解析を開始する（ステップＳ３０１）。
【００６０】
そして、記号解析にて、印刷ジョブに対して付加情報印刷指示が設定されているかが判断される（ステップＳ３０２）。
【００６１】
付加情報４５の印刷指示が設定されていると判断された場合（Ｓ３０２でＹＥＳ）、「Ｔｒｉｍ  Ｂｏｘ」と「Ｍｅｄｉａ  Ｂｏｘ」が検出されたか否かがチェックされる（ステップＳ３０３）。
【００６２】
「Ｔｒｉｍ  Ｂｏｘ」と「Ｍｅｄｉａ  Ｂｏｘ」が検出された場合（ステップＳ３０３でＹＥＳ）、印刷ジョブのラスタライズが行われる。また、あらかじめプリントコントローラ２で設定されている付加情報４５の印刷指示に関する情報に応じて、ラスタライズされた画像のトリムボックス４２とメディアボックス４３に囲まれた裁断予定領域４４に、付加情報４５が、画像データとして追加（貼り付け）される（ステップＳ３０４）。これによりトリムボックス４２とメディアボックス４３に基づいた付加情報４５の印刷位置の調整処理が行われる。
【００６３】
一方、ステップＳ３０２において付加情報印刷指示が設定されていないと判断された場合（ステップＳ３０２でＮＯ）、ステップＳ３０３において「Ｔｒｉｍ  Ｂｏｘ」および「Ｍｅｄｉａ  Ｂｏｘ」が検出されなかった場合には（ステップＳ３０３でＮＯ）、ステップＳ３０６に進む。
【００６４】
ステップＳ３０６では、印刷ジョブのラスタライズが行われる。また、トリムボックス４２とメディアボックス４３に基づいた付加情報４５の印刷位置の調整処理は行われず、プリントエンジン３に設定された付加情報４５の印刷指示に関する情報に従い、通常の付加情報４５の印刷処理（ラスタライズ）が行われる（ステップＳ３０６）。なお、付加情報の印刷指示が無い場合は、付加情報の印刷処理（ラスタライズ）は行われない。
【００６５】
ステップＳ３０５では、ラスタライズ画像がプリントエンジン３に送信される（ステップＳ３０５）。
【００６６】
図９は、第２実施形態の印刷システム４のプリントエンジン３における処理の手順を示すフローチャートである。なお、図９のフローチャートにより示されるアルゴリズムは、例えばＲＯＭ３２などの記憶部にプログラムとして記憶されており、ＣＰＵ３１によって実行される。
【００６７】
図９に示すように、プリントエンジン３は、プリントコントローラ２からスタライズ画像を受信すると（ステップＳ４０１）、受信したラスタライズ画像の印刷を行う（ステップＳ４０２）。
【００６８】
この第２実施形態によっても、上述した第１実施形態と同様の効果を得ることができることは言うまでも無い。
【００６９】
本発明は、上記した実施形態のみに限定されるものではなく、特許請求の範囲内において、種々改変することができる。
【００７０】
上記実施形態ではＰＤＦファイルを例に説明したが、本発明はＰＤＦファイルと異なる形式のファイルの印刷においても適用することができる。
【００７１】
また上記実施形態では、印刷システム４がプリントコントローラ２とプリントエンジン３に分けられ、互いにローカル接続された構成の場合について述べたが、プリントコントローラ２とプリントエンジン３とが一体とされて例えばデジタル複写機して構成することもできる。かかる構成の下でも本発明を適用して、同様に付加情報４５を裁断予定領域４４に印刷することができる。
【００７２】
本実施形態にかかる印刷システムにおける各種処理を行う手段および方法は、専用のハードウェア回路、またはプログラムされたコンピュータのいずれによっても実現することが可能である。上記プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたプログラムは、通常、ハードディスク等の記憶部に転送されて記憶される。また、上記プログラムは、単独のアプリケーションソフトとして提供されてもよいし、装置の一機能としてその装置のソフトウェアに組み込まれてもよい。
【図面の簡単な説明】
【００７３】
【図１】本発明の第１実施形態にかかるネットワークシステムの全体構成を示すブロック図である。
【図２】図１に示されるＰＣの構成を示すブロック図である。
【図３】図１に示される印刷システムにおけるプリントコントローラの構成を示すブロック図である。
【図４】図１に示される印刷システムのプリントエンジンの構成を示すブロック図である。
【図５】本実施形態で取り扱われる印刷ページの一例を概略的に示す図である。
【図６】第１実施形態の印刷システムのプリントコントローラにおける処理の手順を示すフローチャートである。
【図７】第１実施形態の印刷システムのプリントエンジンにおける処理の手順を示すフローチャートである。
【図８】第２実施形態の印刷システムのプリントコントローラにおける処理の手順を示すフローチャートである。
【図９】第２実施形態の印刷システムのプリントエンジンにおける処理の手順を示すフローチャートである。
【符号の説明】
【００７４】
１    ＰＣ、
１１，２１，３１    ＣＰＵ、
１２，２２，３２    ＲＯＭ、
１３，２３，３３    ＲＡＭ、
１４，２４，３４    ハードディスク、
１５    ディスプレイ、
１６，２５    入力装置、
１７，２７    ネットワークインタフェース、
１８、２８、３８    バス、
２    プリントコントローラ、
２６    エンジンインタフェース、
３    プリントエンジン
３５    操作パネル部
３６    印刷部、
３７    コントローラインタフェース、
４    印刷システム、
５    ネットワーク、
４０    原稿領域
４１    トンボ
４２    トリムボックス
４３    メディアボックス
４４    裁断予定領域
４５    付加情報。
【図１】
0004661685.tif 000002
【図２】
0004661685.tif 000003
【図３】
0004661685.tif 000004
【図４】
0004661685.tif 000005
【図５】
0004661685.tif 000006
【図６】
0004661685.tif 000007
【図７】
0004661685.tif 000008
【図８】
0004661685.tif 000009
【図９】
0004661685.tif 000010